(57)【要約】  【課題】近年、撮影データを記録するための記録媒体としてハードディスク（以下、ＨＤＤ）が使用されるビデオカメラが増加している。そこで、ＨＤＤに記録されている撮影データを外部記録メディアに転送することで、容易にバックアップをとることができるビデオカメラ情報転送システムを提案する。  【解決手段】ビデオカメラを使用する場合に不可欠な充電作業を利用して、充電作業中に撮影データを外部記録メディアに転送する。転送時には、充電作業が確実に行われていることや、充電完了までに転送し終わるように転送する撮影データの順番等に配慮することで、転送処理用の電源を確実に確保し、転送時にユーザが意識せずとも自動的に撮影データのバックアップをとることができるビデオカメラ情報転送システム。【選択図】            図１
2005354133.tif 000002
【特許請求の範囲】
【請求項１】
ビデオカメラと、ビデオカメラ充電装置と、からなるビデオカメラ情報転送システムであって、
前記ビデオカメラは、
駆動用バッテリー部と、
ハードディスクドライブ情報記憶部と、
ハードディスクドライブ情報記憶部から情報を取得するドライブ情報取得部と、
前記ドライブ情報取得部が取得した情報を外部に出力する情報出力部と、
を有し、
前記ビデオカメラ充電装置は、
前記ビデオカメラの前記駆動用バッテリー部を充電するための充電部と、
前記情報出力部から出力される情報を取得するビデオ情報取得部と、
前記ビデオ情報取得部で取得した情報を転送する転送部と、
を有するビデオカメラ情報転送システム。
【請求項２】
ビデオカメラと、ビデオカメラ充電装置と、からなるビデオカメラ情報転送システムであって、
前記ビデオカメラは、
駆動用バッテリー部と、
前記ビデオカメラ充電装置から電力の供給を受けて前記駆動用バッテリー部を充電するための充電部と、
ハードディスクドライブ情報記憶部と、
ハードディスクドライブ情報記憶部から情報を取得するドライブ情報取得部と、
前記ドライブ情報取得部が取得した情報を外部に出力する情報出力部と、
を有し、
前記ビデオカメラ充電装置は、前記ビデオカメラに電力を供給するとともに、
前記情報出力部から出力される情報を取得するビデオ情報取得部と、
前記ビデオ情報取得部で取得した情報を転送する転送部と、
を有するビデオカメラ情報転送システム。
【請求項３】
前記ビデオカメラ充電装置の前記ビデオ情報取得部は、
前記充電部が充電作業をしているか判断する充電判断手段と、
前記充電判断手段の判断結果が充電作業をしているとの判断結果である場合には、前記ビデオカメラの前記ドライブ情報取得部に対してハードディスクドライブ情報記憶部から情報を取得させるための命令であるドライブ情報取得命令を送信する命令送信手段と、
を有し、
前記ビデオカメラの前記ドライブ情報取得部は、
前記ビデオカメラ充電装置の前記命令送信手段から送信されるドライブ情報取得命令を受信する命令受信手段を有する
請求項１又は２に記載のビデオカメラ情報転送システム。
【請求項４】
前記ビデオカメラ充電装置は、
前記充電部が充電作業中に、前記ビデオカメラの前記ハードディスクドライブ情報記憶部に対して電力を供給するドライブ電力供給部を有する
請求項１から３のいずれか一に記載のビデオカメラ情報転送システム。
【請求項５】
前記ビデオカメラ充電装置は、
充電完了のために必要な充電量を算出するための充電必要量計算部を有し、
前記ビデオ情報取得部の前記命令送信手段は、前記充電必要量計算部の計算結果に基づいて充電量に応じたドライブ情報取得命令である充電必要量対応ドライブ情報取得命令を生成する充電必要量対応ドライブ情報取得命令生成器を有する請求項３に記載のビデオカメラ情報転送システム。
【請求項６】
前記充電必要量対応ドライブ情報取得命令は、
ハードディスクドライブ情報記憶部から取得する情報の量を定める量規定情報を含む
請求項５に記載のビデオカメラ情報転送システム。
【請求項７】
前記充電必要量対応ドライブ情報取得命令は、ハードディスクドライブ情報記憶部から取得する情報の情報転送計画を定める転送計画情報を含む請求項５に記載のビデオカメラ情報転送システム。
【請求項８】
前記ビデオカメラは、前記転送部により前記ハードディスクドライブ情報記憶部に記憶された情報の転送に関する状況を表示する表示部をさらに有する請求項１から７のいずれか一に記載のビデオカメラ情報転送システム。
【発明の詳細な説明】
【技術分野】
【０００１】
本発明は、ビデオカメラ情報転送システムに関するものである。
【背景技術】
【０００２】
従来の一般的なデジタルビデオカメラは、ＤＶ方式を採用したものである。ＤＶ方式は、離散コサイン変換を使うことにより、画像データ量を約１／５に圧縮してそれを記録媒体となる磁気テープにデジタルデータとして記録する方式である。一般に、ＤＶ方式テープ記録のビデオカメラを使うユーザは、新規のイベントにおいて撮影を行う際には、新規のテープを使用することが多い。つまり、イベントごとに新たなテープを使用するため、データの保存という面では特別な神経を払わなくても良い。ところが、近年、ランダムアクセスによる再生レスポンス改善や長時間記録を可能にする目的で記録媒体にハードディスク（以下、ＨＤＤ）を使用するビデオカメラが主流になりつつある。ＨＤＤは容量も多く大量のデータを記録することが可能である。しかし、いくら容量が多くとも有限であることに変わりはなく、単に保存データを蓄積していけばついには空き容量がなくなるのは当然のことである。特に撮影中に空き容量がなくなれば、撮影を続けることができなくなってしまう。これに対して、自動的に古い保存データに上書きをしていくような仕組みも考え得るが、古い保存データが必ずしも不要なデータであるとは限らないので不都合が起こる可能性が高い。また特許文献１においては、携帯情報端末機器が破壊された場合に端末機器内に保存されていたデータを修復するために、データをバックアップしておく仕組みが考え出されている。
【特許文献１】特開平１１−２５９１９１号公報
【発明の開示】
【発明が解決しようとする課題】
【０００３】
しかしながら、ビデオカメラで保存されるデータは主に動画であるため、そのデータ量も多く、バックアップをとるための時間も電力も相当に必要となる。このような問題を解決する方法として、ＨＤＤに保存された保存データをある程度の容量を持つ外部の記録メディアへ転送してバックアップをとる方法が考えられる。この方法において留意すべき点は、通常ビデオカメラのユーザにとってバックアップをとることは一般的ではないため、バックアップの処理を忘れてしまう可能性があることや、簡易な方法でなければならないことである。また、ビデオカメラのバッテリーを考慮して、バックアップ処理用の電源を確保することにも留意しなければならない。
【課題を解決するための手段】
【０００４】
本発明では、これらの課題を解決するために、ビデオカメラのＨＤＤに保存されているデータを簡単に外部の記録メディアに転送し保存するためのシステムを提案する。
【０００５】
本システムは上記のような問題を考慮しつつ、確実に保存データを外部の記録メディアへ転送する方法を実現している。まず、ユーザに意識させずに確実にバックアップをとる方法として、ビデオカメラのバッテリーを充電する際に自動的にバックアップをとる方法を提案している。特にＨＤＤによるデータ保存は比較的多くの電力を要するため定期的なバッテリーの充電が必要であるので、バッテリーの充電時に自動的にバックアップを行えば、ユーザの手を煩わせることなく、確実に保存データを転送させることができる。また、バッテリー充電時はＡＣアダプタが接続されているので、バックアップ用の電力もＡＣアダプタからとることができ、バッテリーへの負担等も考慮する必要がない。
【発明の効果】
【０００６】
以上のように、ビデオカメラのバッテリーの充電という、ビデオカメラ使用時には必ず必要な処理と同時に保存データのバックアップを自動的に行うことで、ユーザに意識させることなく確実に撮影データを他の記録媒体に転送して保存することができる。また、本発明はビデオカメラの記憶媒体の種類に依存しないので、ＨＤＤを採用しているビデオカメラのみならず、他の記録媒体を使用しているビデオカメラにも適用することができる。
【発明を実施するための最良の形態】
【０００７】
以下に、本発明の実施の形態を説明する。なお、本発明はこれら実施の形態に何ら限定されるものではなく、その要旨を逸脱しない範囲において、種々なる態様で実施しうる。なお、以下の実施形態と請求項の関係は次の通りである。実施形態１は、主に請求項１、２などについて説明する。実施形態２は、主に請求項３などについて説明する。実施形態３は、主に請求項４などについて説明する。実施形態４は、主に請求項５、６、７などについて説明する。実施形態５は、主に請求項８などについて説明する。実施形態６は、ビデオカメラ自身が内部に充電機能と情報転送機能を有する場合について説明する。
<<実施形態１>>
【０００８】
<実施形態１の概要>本実施形態は、ビデオカメラとビデオカメラを充電するための装置であるビデオカメラ充電装置とからなるビデオカメラ情報転送システムに関するものである。本実施形態の特徴は、ビデオカメラのバッテリーをビデオカメラ充電装置によって充電する際に、同時にビデオカメラ内に保存されている撮影データを外部記録メディアへ転送できる点である。図１は、本実施形態の概念の一例を示すものである。本実施形態のビデオカメラ情報転送システムは、「ビデオカメラ」（０１１０）と「ビデオカメラ充電装置」（０１２０）から構成されている。ビデオカメラ（０１１０）をビデオカメラ充電装置（０１２０）に置くことによってビデオカメラ（０１１０）のバッテリーを充電する場合に、ビデオカメラ充電装置（０１２０）はデータを転送するためのデータ転送用ケーブル（０１３０）が接続されており、充電すると同時に外部記録メディア（０１４０）に保存データを転送することでバックアップをとることができる。
【０００９】
<実施形態１の構成>本実施形態での機能ブロックの一例を図２に示す。図２に示す本実施形態のビデオカメラ情報転送システムは、「ビデオカメラ」（０２１０）と、「ビデオカメラ充電装置」（０２２０）とからなる。前記ビデオカメラ（０２１０）は、「駆動用バッテリー部」（０２１１）と、「ハードディスクドライブ情報記憶部」（０２１２）と、「ドライブ情報取得部」（０２１３）と、「情報出力部」（０２１４）とからなる。「駆動用バッテリー部」（０２１１）は、前記ビデオカメラ（０２１０）を作動させるための電力を蓄積しておくためのものである。「ハードディスクドライブ情報記憶部」（０２１２）は、情報を保存しておく機能を有するものである。一般的なビデオカメラのＨＤＤに当たる部分であり、ビデオカメラで撮影された映像情報や音声情報を符号化、圧縮して保存する。想定される記憶容量としては１００Ｇ（ギガ）バイトから５００Ｇバイト程度であり、録画時間としては５０時間から３００時間程度である。ＨＤＤはディスク交換可能なものであってもよいし、交換不可のものでもよい。交換可能なＨＤＤの場合はディスク交換により古い情報を保管できるが、ユーザがディスク交換を忘れてしまう可能性がある。また、交換不可のＨＤＤの場合は当然のことながら容量には限界があるので、バックアップをとることは必須となる。「ドライブ情報取得部」（０２１３）は、前記ハードディスクドライブ情報記憶部（０２１２）において保存されている情報を取得する機能を有する。情報を取得する際に、前記ハードディスクドライブ情報記憶部（０２１２）に保存されている記憶フォーマットをそのままに取り出してもよいが、変換して取り出してもよい。例えば、ＭＰＥＧ７で前記ハードディスクドライブ情報記憶部（０２１２）に保存されているデータをＭＰＥＧ２に変換して取得してもよい。また、前記ハードディスクドライブ情報記憶部（０２１２）の記録フォーマットがビデオカメラのメーカー固有のものである場合は、例えば、世の中において広く使用されているフォーマットに変換すること等が考えられる。また、変換すべきフォーマットの候補が複数ある場合は、後述する「転送部」（０２２３）が情報転送すべき外部の装置からその装置に適したフォーマットの情報を入手して、そのフォーマットを選択するような仕組みになっていてもよい。また、前記ハードディスクドライブ情報記憶部（０２１２）から情報を取得する際は、前記ハードディスクドライブ情報記憶部（０２１２）に情報が複数記録されている場合、全ての情報を順番に取得せずとも、いずれかの情報を選択して取得するようになっていてもよい。「情報出力部」（０２１４）は、前記ドライブ情報取得部（０２１３）において取得された情報を外部に出力する機能を有する。出力先は、基本的には後述の「ビデオ情報取得部」（０２２２）であるが、必ずしも限定される必要はなく、パーソナルコンピュータやＤＶＤ録画装置等に直接出力されてもよい。また、出力時の接続は有線による接続でなくとも、無線による接続でもよい。さらに、出力信号の種類は電気信号のみに限定されず、光信号でもよい。光信号の場合には、後述の「ビデオ情報取得部」（０２２２）との接触が必ずしも必要では���いので信頼性も高いと思われる。また、前記ビデオカメラ充電装置（０２２０）は、「充電部」（０２２１）と、「ビデオ情報取得部」（０２２２）と、「転送部」（０２２３）とからなる。「充電部」（０２２１）は、前記ビデオカメラ（０２１０）の前記駆動用バッテリー部（０２１１）を充電する機能を有する。前記駆動用バッテリー部（０２１１）に充電をするために、前記ビデオカメラ充電装置（０２２０）から前記ビデオカメラ（０２１０）に対して電力を送る方法は、有線によらずとも無線によって送られてもよい。また、前記駆動用バッテリー部（０２１１）に送る電力は、外部の家庭用電源等から取得することが一般的であると考えられるが、充電部（０２２１）自体がバッテリーを備えて電力を蓄積して保持し、そのバッテリーから前記駆動用バッテリー部（０２１１）に電力を供給してもよい。さらに、本例においては、充電部（０２２１）が前記ビデオカメラ充電装置（０２２０）に含まれているが、前記ビデオカメラ（０２１０）に含まれていてもよい。「ビデオ情報取得部」（０２２２）は、前記ビデオカメラ（０２１０）の前記情報出力部（０２１４）から出力される情報を取得する機能を有する。「転送部」（０２２３）は、前記ビデオ情報取得部（０２２２）で取得された情報を外部に転送するためのものである。取得した情報を一時的に蓄えるバッファを備えていてもよいし、バッファではなくＨＤＤのような蓄積部を備えていてもよい。また、転送先は家庭内のパーソナルコンピュータの情報蓄積手段等に限定せず、デジタルテレビの情報記憶手段やＤＶＤ録画装置等でもよい。また、インターネットや電話回線を介して転送するようになっていてもよい。さらに、転送先は一カ所でなく複数あってもよいし、情報の内容に応じて転送先を選択するようになっていてもよい。さらに、前述のバッファや蓄積部に既に蓄積されている情報と同時に転送するような仕組みになっていてもよい。
【００１０】
<実施形態１の具体例>本実施形態の具体例を挙げて説明する。図３に具体例の一例を示す。まず、電力供給に関しては、ビデオカメラ充電装置（０３２０）がＡＣアダプタによってコンセントに接続されており、ＡＣアダプタよりビデオカメラ充電装置（０３２０）の充電部（０３２１）に電力が供給される。本具体例においては、充電部（０３２１）がビデオカメラ充電装置（０３２０）に含まれているが、ビデオカメラ（０３１０）に含まれていてもよい。充電部（０３２１）からはビデオカメラ（０３１０）の駆動用バッテリー部（０３１１）に電力が供給される。ここで、充電部（０３２１）が充電を行っていない場合には、例えば、ハードディスクドライブ情報記憶部（０３１２）を停止させるような処理が考えられる。また、ビデオカメラ（０３１０）がビデオカメラ充電装置（０３２０）から外れないように、例えば、双方の接触面を磁石で引きつけておいたり、ビデオカメラ充電装置（０３２０）にビデオカメラ（０３１０）を引っ掛けて固定しておくようなツメがついてもよい。一般的にビデオカメラのＨＤＤに保存される撮影情報に関しては、最初にビデオカメラ（０３１０）のハードディスクドライブ情報記憶部（０３１２）に記憶される。記憶された撮影情報は、ドライブ情報取得部（０３１３）に渡され、さらに情報出力部（０３１４）に渡されてビデオカメラ充電装置（０３２０）に対して出力される。ビデオカメラ充電装置（０３２０）は、ビデオ情報取得部（０３２２）で撮影情報を取得し、その後、転送部（０３２３）に渡され外部記録メディアに転送される。
【００１１】
<実施形態１の処理の流れ>図４は、本実施形態でのハードディスクドライブ情報記憶部に記憶される情報に関する処理の流れの一例を示したものであり、以下に示すステップよりなる。最初に、ハードディスクドライブ情報記憶部に情報を記憶する（情報記憶ステップ  Ｓ０４１０）。次に、前記情報記憶ステップ（Ｓ０４１０）においてハードディスクドライブ情報記憶部に記憶された情報を取得する（ドライブ情報取得ステップ  Ｓ０４２０）。次に、前記ドライブ情報取得ステップ（Ｓ０４２０）において取得された情報をビデオカメラ充電装置に対して出力する（情報出力ステップ  Ｓ０４３０）。以上のステップはビデオカメラ側の処理であり、以下はビデオカメラ充電装置側の処理である。次に、前記情報出力ステップ（Ｓ０４３０）においてビデオカメラより出力された情報を取得する（ビデオ情報取得ステップ  Ｓ０４４０）。最後に、前記ビデオ情報取得ステップ（Ｓ０４４０）において取得された情報を外部記録メディアへ転送する（情報転送ステップ  Ｓ０４５０）。
【００１２】
<実施形態１の効果>本実施形態におけるビデオカメラ情報転送システムは、ビデオカメラのバッテリーの充電と同時に、ビデオカメラ内に保存されている撮影データを外部の記録メディアに転送してバックアップをとることができる。
<<実施形態２>>
【００１３】
<実施形態２の概要>本実施形態におけるビデオカメラ情報転送システムの特徴は、ビデオカメラ内に保存されている撮影データをビデオカメラ充電装置に転送する際に、充電作業が確実になされているかどうかをチェックする機能を有し、充電中であることを確認してビデオカメラよりビデオカメラ充電装置に撮影データを出力し外部へ転送する点である。
【００１４】
<実施形態２の構成>本実施形態での機能ブロックの一例を図５に示す。図５に示す本実施形態のビデオカメラ情報転送システムは、「ビデオカメラ」（０５１０）と、「ビデオカメラ充電装置」（０５２０）とからなる。前記ビデオカメラ（０５１０）は、「駆動用バッテリー部」（０５１１）と、「ハードディスクドライブ情報記憶部」（０５１２）と、「ドライブ情報取得部」（０５１３）と、「情報出力部」（０５１５）とからなる。前記「ドライブ情報取得部」（０５１３）は「命令受信手段」（０５１４）を有する。前記「命令受信手段」（０５１４）以外の構成に関しては実施形態１と同様である。また、前記ビデオカメラ充電装置（０５２０）は、「充電部」（０５２１）と、「ビデオ情報取得部」（０５２２）と、「転送部」（０５２５）とからなり、前記「ビデオ情報取得部」（０５２２）は、「充電判断手段」（０５２３）と、「命令送信手段」（０５２４）を有する。前記「充電判断手段」（０５２３）と、前記「命令送信手段」（０５２４）以外の構成に関しては、実施形態１と同様である。また、「充電部」（０５２１）に関しては、ビデオカメラ（０５１０）に含まれていてもよい。前記ビデオカメラ充電装置（０５２０）の「充電判断手段」（０５２３）は、前記充電部（０５２１）が充電作業をしているかどうかを判断する機能を有する。判断する方法としては、様々な形態が考えられるが、例えば、前記ビデオカメラ（０５１０）の前記駆動用バッテリー部（０５１１）が充電されていることを検知するような仕組みでも良いし、ＡＣアダプタがコンセントに差し込まれていることを検知するような仕組みによって判断しても良い。前記ビデオカメラ充電装置（０５２０）の「命令送信手段」（０５２４）は、前記充電判断手段（０５２３）の判断結果が充電作業をしているとの判断結果である場合には、前記ビデオカメラ（０５１０）の前記ドライブ情報取得部（０５１３）に対して前記ハードディスクドライブ情報記憶部（０５１２）から情報を取得させるための命令であるドライブ情報取得命令を送信する機能を有する。前記ビデオカメラ（０５１０）の「命令受信手段」（０５１４）は、前記命令送信手段（０５２４）から送信されるドライブ情報取得命令を受信する機能を有する。
【００１５】
<実施形態２の具体例>本実施形態の具体例を挙げて説明する。図６に本実施形態の具体的機能ブロック図の一例を示す。最初に、ビデオカメラ（０６１０）のハードディスクドライブ情報記憶部（０６１２）にユーザが撮影した撮影情報が保存される。次に、ビデオカメラ充電装置（０６２０）のビデオ情報取得部（０６２２）が有する充電判断手段（０６２３）によって、充電部（０６２１）がビデオカメラ（０６１０）の駆動用バッテリー部（０６１１）に充電を行っているかどうかを判断する。本具体例においては、充電部（０６２１）がビデオカメラ充電装置（０６２０）にあるが、ビデオカメラ（０６１０）にあってもよい。充電判断手段（０６２３）での判断結果が"充電中"との判断であった場合には、命令送信手段（０６２４）よりビデオカメラ（０６１０）のドライブ情報取得部（０６１３）が有する命令受信手段（０６１４）に対して、ハードディスクドライブ情報記憶部（０６１２）から撮影情報を取得させるための命令であるドライブ情報取得命令を送信する。命令受信手段（０６１４）でドライブ情報取得命令を受信すると、ドライブ情報取得部（０６１３）はハードディスクドライブ情報記憶部（０６１２）から撮影情報を取得し、情報出力部（０６１５）よりビデオカメラ充電装置（０６２０）に対して撮影情報を出力する。ビデオカメラ充電装置（０６２０）のビデオ情報取得部（０６２２）では撮影情報を受信し、転送部（０６２５）から外部記録メディアに転送される。
【００１６】
<実施形態２の処理の流れ>図７は、本実施形態でのハードディスクドライブ情報記憶部に記憶される情報に関する処理の流れの一例を示したものであり、以下に示すステップよりなる。最初に、ビデオカメラ側においてハードディスクドライブ情報記憶部に情報を記憶する（ハードディスクドライブ情報記憶ステップ  Ｓ０７１０）。次に、ビデオカメラに対して充電作業が行われているかどうかの判断を行う。ここで充電しているとの判断であれば次のステップに進むが、充電していないとの判断である場合の以後の処理は、特定の処理に限定されない。例えば、転送できない旨の警告表示をしたり、充電が行われていない旨の警告表示をしたりすることが考えられる（充電作業判断ステップ  Ｓ０７２０）。次に、前記充電作業判断ステップ（Ｓ０７２０）において充電作業を行っているとの判断である場合には、ドライブ情報取得命令を送信する（ドライブ情報取得命令送信ステップ  Ｓ０７３０）。次に、ビデオカメラ側において、前記ドライブ情報取得命令送信ステップ（Ｓ０７３０）において送信されたドライブ情報取得命令を受信する（ドライブ情報取得命令受信ステップ  Ｓ０７４０）。次に、前記ドライブ情報取得命令受信ステップ（Ｓ０７４０）において受信されたドライブ情報に基づいて、前記ハードディスクドライブ情報記憶ステップ（Ｓ０７１０）においてハードディスクドライブ情報記憶部に記憶されている情報を取得する（ドライブ情報取得ステップ  Ｓ０７５０）。次に、前記ドライブ情報取得ステップ（Ｓ０７５０）において取得された情報をビデオカメラ充電装置に対して出力する（情報出力ステップ  Ｓ０７６０）。次に、ビデオカメラ充電装置側において、前記情報出力ステップ（Ｓ０７６０）において出力された情報を取得する（ビデオ情報取得ステップ  Ｓ０７７０）。最後に、前記ビデオ情報取得ステップ（Ｓ０７７０）において取得された情報を外部記録メディアへ転送する（情報転送ステップ  Ｓ０７８０）。
【００１７】
<実施形態２の効果>本実施形態におけるビデオカメラ情報転送システムは、ビデオカメラに充電作業がなされているかどうかの判断を行い、充電作業が確実に行われているとの判断に基づいてビデオカメラ内に保存されている撮影データを外部の記録メディアに転送することができる。
<<実施形態３>>
【００１８】
<実施形態３の概要>本実施形態におけるビデオカメラ情報転送システムの特徴は、ビデオカメラに充電作業が行われている場合に、ビデオカメラの前記ハードディスクドライブ情報記憶部に対して電力を供給する機能を有する点である。
【００１９】
<実施形態３の構成>本実施形態での機能ブロックの一例を図８に示す。図８に示す本実施形態のビデオカメラ情報転送システムは、「ビデオカメラ」（０８１０）と、「ビデオカメラ充電装置」（０８２０）とからなる。前記ビデオカメラ（０８１０）は、「駆動用バッテリー部」（０８１１）と、「ハードディスクドライブ情報記憶部」（０８１２）と、「ドライブ情報取得部」（０８１３）と、「情報出力部」（０８１５）とからなる。前記「ドライブ情報取得部」（０８１３）は「命令受信手段」（０８１４）を有する。この構成に関しては、実施形態２と同様である。また、前記ビデオカメラ充電装置（０８２０）は、「充電部」（０８２１）と、「ドライブ電力供給部」（０８２２）と、「ビデオ情報取得部」（０８２３）と、「転送部」（０８２６）とからなり、前記「ビデオ情報取得部」（０８２３）は、「充電判断手段」（０８２４）と、「命令送信手段」（０８２５）を有する。前記「ドライブ電力供給部」（０８２２）以外の構成に関しては、実施形態２と同様である。また、「充電部」（０８２１）に関しては、ビデオカメラ（０８１０）に含まれていてもよい。「ドライブ電力供給部」（０８２２）は、前記充電部（０８２１）が充電作業中である場合に、前記ビデオカメラ（０８１０）の前記ハードディスクドライブ情報記憶部（０８１２）に対して電力を供給する機能を有する。
【００２０】
<実施形態３の具体例>本実施形態の具体例を挙げて説明する。図９に本実施形態の具体的機能ブロック図の一例を示す。最初に、ビデオカメラ（０９１０）のハードディスクドライブ情報記憶部（０９１２）にユーザが撮影した撮影情報が保存される。次に、ビデオカメラ充電装置（０９２０）のビデオ情報取得部（０９２３）が有する充電判断手段（０９２４）によって、充電部（０９２１）がビデオカメラ（０９１０）の駆動用バッテリー部（０９１１）に充電を行っているかどうかを判断する。本具体例においては、充電部（０９２１）がビデオカメラ充電装置（０９２０）にあるが、ビデオカメラ（０９１０）にあってもよい。充電判断手段（０９２４）での判断結果が "充電中"であるとの判断であった場合には、ドライブ電力供給部（０９２２）が前記ビデオカメラ（０９１０）のハードディスクドライブ情報記憶部（０９１２）に対して電力を供給する。さらに、命令送信手段（０９２５）よりビデオカメラ（０９１０）のドライブ情報取得部（０９１３）が有する命令受信手段（０９１４）に対して、ハードディスクドライブ情報記憶部（０９１２）から撮影情報を取得させるための命令であるドライブ情報取得命令を送信する。命令受信手段（０９１４）でドライブ情報取得命令を受信すると、ドライブ情報取得部（０９１３）はハードディスクドライブ情報記憶部（０９１２）から撮影情報を取得し、情報出力部（０９１５）よりビデオカメラ充電装置（０９２０）に対して撮影情報を出力する。ビデオカメラ充電装置（０９２０）のビデオ情報取得部（０９２３）では撮影情報を受信し、転送部（０９２６）から外部記録メディアに転送される。
【００２１】
<実施形態３の処理の流れ>図１０は、本実施形態での撮影情報に関する処理の流れの一例を示したものであり、以下に示すステップよりなる。最初に、ビデオカメラ側においてハードディスクドライブ情報記憶部に情報を記憶する（ハードディスクドライブ情報記憶ステップ  Ｓ１０１０）。次に、ビデオカメラに対して充電作業が行われているかどうかの判断を行う。ここで充電しているとの判断であれば次のステップに進むが、充電していないとの判断である場合の以後の処理は、特定の処理に限定されない。例えば、転送できない旨の警告表示をしたり、充電が行われていない旨の警告表示をしたりすることが考えられる（充電作業判断ステップ  Ｓ１０２０）。次に、前記充電作業判断ステップ（Ｓ１０２０）において充電作業を行っているとの判断である場合には、ビデオカメラ側のハードディスクドライブ情報記憶部に対して電力を供給する（ハードディスクドライブ電力供給ステップ  Ｓ１０３０）。次に、ビデオカメラに対してドライブ情報取得命令を送信する（ドライブ情報取得命令送信ステップ  Ｓ１０４０）。ここで、前記ハードディスクドライブ電力供給ステップ（Ｓ１０３０）と前記ドライブ情報取得命令送信ステップ（Ｓ１０４０）の順番は問わない。前記ドライブ情報取得命令送信ステップ（Ｓ１０４０）の処理の後に前記ハードディスクドライブ電力供給ステップ（Ｓ１０３０）の処理が行われてもよい。次に、ビデオカメラ側において、前記ドライブ情報取得命令送信ステップ（Ｓ１０４０）において送信されたドライブ情報を受信する（ドライブ情報取得命令受信ステップ  Ｓ１０５０）。次に、前記ドライブ情報取得命令受信ステップ（Ｓ１０５０）において受信されたドライブ情報に基づいて、前記ハードディスクドライブ情報記憶ステップ（Ｓ１０１０）においてハードディスクドライブ情報記憶部に記憶された情報を取得する（ドライブ情報取得ステップ  Ｓ１０６０）。次に、前記ドライブ情報取得ステップ（Ｓ１０６０）において取得された情報をビデオカメラ充電装置に対して出力する（情報出力ステップ  Ｓ１０７０）。次に、ビデオカメラ充電装置側において、前記情報出力ステップ（Ｓ１０７０）において出力された情報を取得する（ビデオ情報取得ステップ  Ｓ１０８０）。最後に、前記ビデオ情報取得ステップ（Ｓ１０８０）において取得された情報を外部記録メディアへ転送する（情報転送ステップ  Ｓ１０９０）。
【００２２】
<実施形態３の効果>本実施形態におけるビデオカメラ情報転送システムでは、ビデオカメラのバッテリーが充電されている場合に、ビデオカメラのハードディスクドライブ情報記憶部に対して電力が供給されている状態でのみ、保存されている撮影データを外部の記録メディアに転送することを保証することができる。ビデオカメラのＨＤＤに保存されている情報を外部に転送するためにはＨＤＤを動作させる必要があるが、これには比較的多くの電力を必要とする。また、ユーザがビデオカメラの充電を行う際には、ビデオカメラのバッテリーの電力は少ない状態になっているのが通常であるので、ＨＤＤの情報を転送させるための電力をバッテリーから供給させると充電効率が悪くなってしまうが、直接ＨＤＤに電力を供給する手段を有することで充電効果を保ちながら、ＨＤＤの情報を転送することができる。
<<実施形態４>>
【００２３】
<実施形態４の概要>本実施形態におけるビデオカメラ情報転送システムの特徴は、ビデオカメラ充電装置がビデオカメラに充電作業を行う場合の充電完了のために必要な充電量を算出し、算出した充電量に基づいてビデオカメラの前記ハードディスクドライブ情報記憶部から取得する情報量を決定する機能を有する点である。また、前記ハードディスクドライブ情報記憶部から情報を取得する際に、取得する順番等を考慮して情報を取得することができる機能も有する。これらの機能により、充電作業中に効率よく情報転送を行い、さらに、充電作業中に確実に情報を転送し終えることができる。
【００２４】
<実施形態４の構成>本実施形態での機能ブロックの一例を図１１に示す。図１１に示す本実施形態のビデオカメラ情報転送システムは、「ビデオカメラ」（１１１０）と、「ビデオカメラ充電装置」（１１２０）とからなる。前記ビデオカメラ（１１１０）は、「駆動用バッテリー部」（１１１１）と、「ハードディスクドライブ情報記憶部」（１１１２）と、「ドライブ情報取得部」（１１１３）と、「情報出力部」（１１１５）とからなる。前記「ドライブ情報取得部」（１１１３）は「命令受信手段」（１１１４）を有する。前記「ドライブ情報取得部」（１１１３）は前記「命令受信手段」（１１１４）において後述する充電必要量対応ドライブ情報取得命令を受信する点において、実施形態２と異なる。それ以外については実施形態２と同様である。また、前記ビデオカメラ充電装置（１１２０）は、「充電部」（１１２１）と、「充電必要量計算部」（１１２２）と、「ビデオ情報取得部」（１１２３）と、「転送部」（１１２７）とからなり、前記「ビデオ情報取得部」（１１２３）は、「充電判断手段」（１１２４）と、「命令送信手段」（１１２５）を有する。また、前記「命令送信手段」（１１２５）は、「充電必要量対応ドライブ情報取得命令生成器」（１１２６）を有する。前記「充電必要量計算部」（１１２２）と前記「充電必要量対応ドライブ情報取得命令生成器」（１１２６）以外の構成に関しては、実施形態２と同様である。また、「充電部」（１１２１）に関しては、ビデオカメラ（１１１０）に含まれていてもよい。「充電必要量計算部」（１１２２）は、前記充電部（１１２１）が充電作業を行う際に充電完了のために必要な充電量を算出する機能を有する。充電量の算出単位は、電気の量でもよいし、充電時間で算出してもよい。「充電必要量対応ドライブ情報取得命令生成器」（１１２６）は、前記充電必要量計算部（１１２２）で算出された充電量に応じたドライブ情報取得命令である充電必要量対応ドライブ情報取得命令を生成する。充電必要量対応ドライブ情報取得命令は、前記充電必要量計算部（１１２２）において算出された充電量から充電中に前記ハードディスクドライブ情報記憶部から取得できる情報量を算出し定めた情報である量規定情報を含む場合がある。ここで、量規定情報の単位は特に限定されない。例えば、ビット数であってもよいしバイト数であってもよい。さらに、充電必要量対応ドライブ情報取得命令は、前記ハードディスクドライブ情報記憶部から情報を取得する順番等を考慮して転送計画を定める転送計画情報を含む場合もある。転送計画情報の具体的な例としては、充電初期は電力を大量に使用しないように情報の取得を少なめにして、充電終了近くには情報の取得を多めにする、というようなものが考えられる。
【００２５】
<実施形態４の具体例>本実施形態の具体例を挙げて説明する。図１２に本実施形態の具体的機能ブロック図の一例を示す。最初に、ビデオカメラ（１２１０）のハードディスクドライブ情報記憶部（１２１２）にユーザが撮影した撮影情報が保存される。次に、ビデオカメラ充電装置（１２２０）のビデオ情報取得部（１２２３）が有する充電判断手段（１２２４）によって、充電部（１２２１）がビデオカメラ（１２１０）の駆動用バッテリー部（１２１１）に充電を行っているかどうかを判断する。本具体例においては、充電部（１２２１）がビデオカメラ充電装置（１２２０）にあるが、ビデオカメラ（１２１０）にあってもよい。充電判断手段（１２２４）での判断結果が"充電中"であるとの判断であった場合に充電必要量計算部（１２２２）において充電部（１２２１）が充電完了のために必要な充電量を算出するが、ここでの充電必要量が"充電時間４０分"であったとする。次に、算出された"充電時間４０分"という充電必要量の情報が充電必要量対応ドライブ情報取得命令生成器（１２２６）に渡され、"充電時間４０分"という情報からハードディスクドライブ情報記憶部（１２１２）から取得する情報の量である量規定情報が決められる。例えば、量規定情報が"１２０Ｍ（メガ）バイト"と決定されたとすると、充電必要量対応ドライブ情報取得命令に"１２０Ｍバイト"という情報が含まれて、命令送信手段（１２２５）よりビデオカメラ（１２１０）のドライブ情報取得部（１２１３）が有する命令受信手段（１２１４）に対して送信される。命令受信手段（１２１４）で充電必要量対応ドライブ情報取得命令を受信すると、ドライブ情報取得部（１２１３）は充電必要量対応ドライブ情報取得命令に含まれている"１２０Ｍバイト"という情報に基づいて、例えば、ハードディスクドライブ情報記憶部（１２１２）に１２０Ｍバイトと２００Ｍバイトの情報が保存されていた場合に、１２０Ｍバイトの情報のみを取得し、情報出力部（１２１５）よりビデオカメラ充電装置（１２２０）に対して出力する。ビデオカメラ充電装置（１２２０）のビデオ情報取得部（１２２３）では情報を受信し、転送部（１２２７）から外部記録メディアに転送される。以上の具体例においては、充電必要量対応ドライブ情報取得命令に含まれる情報が量規定情報である場合であり、量規定情報の代わりに転送計画情報が含まれる場合もある。
【００２６】
<実施形態４の処理の流れ>図１３は、本実施形態での撮影情報に関する処理の流れの一例を示したものであり、以下に示すステップよりなる。最初に、ビデオカメラ側においてハードディスクドライブ情報記憶部に情報を記憶する（ハードディスクドライブ情報記憶ステップ  Ｓ１３１０）。次に、ビデオカメラに対して充電作業が行われているかどうかの判断を行う。ここで充電しているとの判断であれば次のステップに進むが、充電していないとの判断である場合の以後の処理は、特定の処理に限定されない。例えば、転送できない旨の警告表示をしたり、充電が行われていない旨の警告表示をしたりすることが考えられる（充電作業判断ステップ  Ｓ１３２０）。次に、前記充電作業判断ステップ（Ｓ１３２０）において充電作業を行っているとの判断である場合には、充電完了のための充電必要量を計算する（充電必要量計算ステップ  Ｓ１３３０）。次に、前記充電必要量計算ステップ（Ｓ１３３０）において計算された充電必要量に基づいて決定された量規定情報または転送計画情報を含む充電必要量対応ドライブ情報取得命令を、ビデオカメラに対して送信する（充電必要量対応ドライブ情報取得命令送信ステップ  Ｓ１３４０）。次に、ビデオカメラ側において、前記充電必要量対応ドライブ情報取得命令送信ステップ（Ｓ１３４０）において送信された充電必要量対応ドライブ情報取得命令を受信する（充電必要量対応ドライブ情報取得命令受信ステップ  Ｓ１３５０）。次に、前記充電必要量対応ドライブ情報取得命令受信ステップ（Ｓ１３５０）において受信された充電必要量対応ドライブ情報取得命令に基づいて、前記ハードディスクドライブ情報記憶ステップ（Ｓ１３１０）においてハードディスクドライブ情報記憶部に記憶された情報を取得する（ドライブ情報取得ステップ  Ｓ１３６０）。次に、前記ドライブ情報取得ステップ（Ｓ１３６０）において取得された情報をビデオカメラ充電装置に対して出力する（情報出力ステップ  Ｓ１３７０）。次に、ビデオカメラ充電装置側において、前記情報出力ステップ（Ｓ１３７０）において出力された情報を取得する（ビデオ情報取得ステップ  Ｓ１３８０）。最後に、前記ビデオ情報取得ステップ（Ｓ１３８０）において取得された情報を外部記録メディアへ転送する（情報転送ステップ  Ｓ１３９０）。
【００２７】
<実施形態４の効果>本実施形態におけるビデオカメラ情報転送システムは、ビデオカメラのバッテリーが充電されている場合に、充電完了のための充電必要量を算出し、充電必要量に基づいて量規定情報や転送計画情報を含む充電必要量対応ドライブ情報取得命令を生成してビデオカメラに送信する機能を有することで、充電中に効率良く転送することができ、また、充電作業が終了してユーザがビデオカメラ充電装置からビデオカメラを外してしまい、情報転送が完了せずに途中で終わってしまうような事態を防ぐことができる。
<<実施形態５>>
【００２８】
<実施形態５の概要>本実施形態におけるビデオカメラ情報転送システムの特徴は、ビデオカメラが、前記転送部による前記ハードディスクドライブ情報記憶部に記憶された情報の転送に関する状況を表示する機能を有する点である。本実施形態では、ビデオカメラの前記ハードディスクドライブ情報記憶部に記憶されている撮影情報を外部記録メディアに転送してバックアップをとることができるが、転送未了の撮影情報が前記ハードディスクドライブ情報記憶部に残っている場合には、これらの転送未了の情報に新しい情報を上書きさせないような機能があると便利である。このような機能のために、本実施形態におけるビデオカメラ情報転送システムでは、情報の転送状況をユーザに知らせるための表示機能を有する。
【００２９】
<実施形態５の構成>本実施形態での機能ブロックの一例を図１４に示す。図１４に示す本実施形態のビデオカメラ情報転送システムは、「ビデオカメラ」（１４１０）と、「ビデオカメラ充電装置」（１４２０）とからなる。前記ビデオカメラ（１４１０）は、「駆動用バッテリー部」（１４１１）と、「ハードディスクドライブ情報記憶部」（１４１２）と、「ドライブ情報取得部」（１４１３）と、「情報出力部」（１４１４）と、「表示部」（１４１５）とからなる。ここで、前記「表示部」（１４１５）以外においては、実施形態１と同様である。また、前記ビデオカメラ充電装置（１４２０）は、「充電部」（１４２１）と、「充電必要量計算部」（１４２２）と、「転送部」（１４２３）とからなり、これらの構成は実施形態１と同様である。また、「充電部」（１４２１）に関しては、ビデオカメラ（１４１０）に含まれていてもよい。「表示部」（１４１５）は、前記ビデオカメラ充電装置（１４２０）の前記転送部（１４２３）の転送に関する状況を表示する機能を有する。表示する内容としては様々なものが考えられるが、例えば、転送し終わったことや転送中であることを知らせる旨の表示、転送し終わって情報を前記ハードディスクドライブ情報記憶部（１４１２）から消去したことを知らせる旨の表示、転送し終わった場合には上書き消去を許容する旨の表示や、転送未了の情報には上書きできない旨の表示等が考えられる。また、情報を転送するために必要な時間が充電完了までの時間より長いときには警告するための表示、転送中に充電作業が中断された場合の警告表示等も考えられる。
【００３０】
<実施形態５の具体例>本実施形態の具体例を挙げて説明する。図１５に本実施形態の特徴点である表示機能の具体例の一例を示す。図１５の例では、ビデオカメラ（１５００）のユーザが見える位置に表示部（１５１０）があり、表示部（１５１０）には、ビデオカメラ（１５００）内に記憶されている情報ごとに各情報の転送状況が表示されている。情報１と３は転送が完了しているので上書きができる状態であること、情報２は転送が未了なので上書き禁止状態であることが表示されている。図１５はあくまでも表示例なので、表示方法はこれに限定されるものではない。他にも、情報を転送中であれば転送中である旨を表示するなど、様々な表示方法が考えられる。
【００３１】
<実施形態５の処理の流れ>図１６は、本実施形態での撮影情報に関する処理の流れの一例を示したものであり、以下に示すステップよりなる。最初に、ハードディスクドライブ情報記憶部に情報を記憶する（情報記憶ステップ  Ｓ１６１０）。次に、前記情報記憶ステップ（Ｓ１６１０）においてハードディスクドライブ情報記憶部に記憶された情報を取得する（ドライブ情報取得ステップ  Ｓ１６２０）。次に、前記ドライブ情報取得ステップ（Ｓ１６２０）において取得された情報をビデオカメラ充電装置に対して出力する（情報出力ステップ  Ｓ１６３０）。以上のステップはビデオカメラ側の処理であり、以下はビデオカメラ充電装置側の処理である。次に、前記情報出力ステップ（Ｓ１６３０）においてビデオカメラより出力された情報を取得する（ビデオ情報取得ステップ  Ｓ１６４０）。次に、前記ビデオ情報取得ステップ（Ｓ１６４０）において取得された情報を外部記録メディアへ転送する（情報転送ステップ  Ｓ１６５０）。最後に、前記情報転送ステップ（Ｓ１６５０）における転送状況を前記表示部において表示する（転送状況表示ステップ  Ｓ１６６０）。
【００３２】
<実施形態５の効果>本実施形態におけるビデオカメラ情報転送システムは、ビデオカメラ充電装置の転送部の転送状況により単に転送中であるというような転送状況を表示する以外にも、前記ハードディスクドライブ情報記憶部の情報への上書きを禁止したり許容したりするような便利な機能を実現するために、ユーザに転送状況を知らせることができる。
<<実施形態６>>（以下、追加分）
【００３３】
<実施形態６の概要>本実施形態においては、情報転送機能付ビデオカメラ装置について説明する。情報転送機能付ビデオカメラ装置は、ビデオカメラ自身が内部にバッテリーを充電する機能と情報を外部に転送する機能を有する。図１７は、本実施形態の概念の一例を示すものである。本実施形態の「情報転送機能付ビデオカメラ装置」（１７１０）は、データを外部に転送するためのデータ転送用ケーブル（１７２０）が接続されており、充電中に外部記録メディア（１７３０）に保存データを転送することでバックアップをとることができる。
【００３４】
<実施形態６の構成>本実施形態の情報転送機能付ビデオカメラ装置の構成については、様々な構成が考えられる。各構成の機能ブロックの一例を図１８、図１９、図２０、図２１、図２２に示す。
【００３５】
図１８に示す「情報転送機能付ビデオカメラ装置」（１８００）は、「内蔵駆動用バッテリー部」（１８１０）と、「ハードディスクドライブ情報記憶部」（１８２０）と、「外部供給充電部」（１８３０）と、「外部転送部」（１８４０）とからなる。「内蔵駆動用バッテリー部」（１８１０）は、前記情報転送機能付ビデオカメラ装置（１８００）を作動させるための電力を蓄積しておくためのものである。「ハードディスクドライブ情報記憶部」（１８２０）は、実施形態１から５と同様である。「外部供給充電部」（１８３０）は、前記内蔵駆動用バッテリー部（１８１０）を外部から供給される電力により充電する機能を有する。電力は外部の家庭用電源等から取得することが一般的であると考えられる。「外部転送部」（１８４０）は、前記外部供給充電部（１８３０）が充電をしている場合に前記ハードディスクドライブ情報記憶部（１８２０）から情報を取得して外部に転送する機能を有する。情報を取得する際に、前記ハードディスクドライブ情報記憶部（１８２０）に保存されている記憶フォーマットをそのままに取り出してもよいが、適宜、他フォーマットに変換して取り出してもよい。また、前記ハードディスクドライブ情報記憶部（１８２０）に情報が複数記録されている場合、全ての情報を順番に取得せずとも、いずれかの情報を選択して取得するようになっていてもよい。取得した情報を外部に転送する際には、取得した情報を一時的に蓄えるバッファを備えていてもよいし、ＨＤＤのような蓄積部を備えていてもよい。また、転送先は特定の記録メディアに限定されない。また、インターネットや電話回線を介して転送するようになっていてもよい。さらに、転送先は一カ所でなく複数あってもよいし、情報の内容に応じて転送先を選択するようになっていてもよい。さらに、前述のバッファや蓄積部に既に蓄積されている情報と同時に転送するような仕組みになっていてもよい。
【００３６】
図１９に示す「情報転送機能付ビデオカメラ装置」（１９００）は、図１８の情報転送機能付ビデオカメラ装置の構成に加え、「命令出力部」（１９５０）を有し、外部転送部（１９４０）は「充電判断手段」（１９４１）を有する。「充電判断手段」（１９４１）は、外部供給充電部（１９３０）が充電作業をしているか判断する機能を有する。判断する方法としては、例えば、内蔵駆動用バッテリー部（１９１０）が充電されていることを検知するような仕組みでもよいし、ＡＣアダプタがコンセントに差し込まれていることを検知するような仕組みによって判断してもよい。「命令出力部」（１９５０）は、前記充電判断手段（１９４１）の判断結果が充電作業をしているとの判断結果である場合には、外部転送部（１９４０）に対して、ハードディスクドライブ情報記憶部（１９２０）から情報を取得させるための命令であるドライブ情報取得命令を出力する機能を有する。
【００３７】
図２０に示す「情報転送機能付ビデオカメラ装置」（２０００）は、図１９の情報転送機能付ビデオカメラ装置の構成に加え、「ドライブ電力供給部」（２０６０）を有する。「ドライブ電力供給部」（２０６０）は、外部供給充電部（２０３０）が充電作業中に、ハードディスクドライブ情報記憶部（２０２０）に対して電力を供給する機能を有する。
【００３８】
図２１に示す「情報転送機能付ビデオカメラ装置」（２１００）は、図２０の情報転送機能付ビデオカメラ装置の構成に加え、「充電必要量計算部」（２１７０）を有し、命令出力部（２１５０）は「充電必要量対応ドライブ情報取得命令生成手段」（２１５１）を有する。「充電必要量計算部」（２１７０）は、充電完了のために必要な充電量を算出する機能を有する。充電量の算出単位は、電気の量でもよいし、充電時間で算出してもよい。「充電必要量対応ドライブ情報取得命令生成手段」（２１５１）は、前記充電必要量計算部（２１７０）の計算結果に基づいて充電量に応じたドライブ情報取得命令である充電必要量対応ドライブ情報取得命令を生成する機能を有する。充電必要量対応ドライブ情報取得命令に関しては実施形態４と同様である。
【００３９】
図２２に示す「情報転送機能付ビデオカメラ装置」（２２００）は、図２０の情報転送機能付ビデオカメラ装置の構成に加え、「表示部」（２２８０）を有する。「表示部」（２２８０）は、外部転送部（２２４０）によりハードディスクドライブ情報記憶部（２２２０）に記憶された情報の転送に関する状況を表示する機能を有する。機能に関しては、実施形態５と同様である。
【００４０】
<実施形態６の具体例>本実施形態の具体例を挙げて説明する。図２３に本実施形態の具体例の一例を示す。具体例としては本実施形態の構成と同様に様々なパターンが考えられるが、ここでは、情報転送機能付ビデオカメラ装置が図２２に示した構成である場合の具体例を一例として図２３に示す。最初に、ハードディスクドライブ情報記憶部（２３２０）にユーザが撮影した撮影情報が保存される。次に、外部転送部（２３４０）が有する充電判断手段（２３４１）によって、外部供給充電部（２３３０）が内蔵駆動用バッテリー部（２３１０）に充電を行っているかどうかを判断する。充電判断手段（２３４１）での判断結果が"充電中"であるとの判断であった場合に充電必要量計算部（２３７０）において外部供給充電部（２３３０）が充電完了のために必要な充電量を算出するが、ここでの充電必要量が"充電時間４０分"であったとする。次に、算出された"充電時間４０分"という充電必要量の情報が充電必要量対応ドライブ情報取得命令手段（２３５１）に渡され、"充電時間４０分"という情報からハードディスクドライブ情報記憶部（２３２０）から取得する情報の量である量規定情報が決められる。例えば、量規定情報が"１２０Ｍ（メガ）バイト"と決定されたとすると、充電必要量対応ドライブ情報取得命令に"１２０Ｍバイト"という情報が含まれて、外部転送部（２３４０）に対して送信される。外部転送部（２３４０）で充電必要量対応ドライブ情報取得命令を受信すると、外部転送部（２３４０）は充電必要量対応ドライブ情報取得命令に含まれている"１２０Ｍバイト"という情報に基づいて、例えば、ハードディスクドライブ情報記憶部（２３２０）に１２０Ｍバイトと２００Ｍバイトの情報が保存されていた場合に、１２０Ｍバイトの情報のみを取得し、外部転送部（２３４０）より外部記録メディアに転送される。以上の具体例においては、充電必要量対応ドライブ情報取得命令に含まれる情報が量規定情報である場合であり、量規定情報の代わりに転送計画情報が含まれる場合もある。また、表示部の具体例に関しては実施形態５の具体例と同様の例が考えられる。
【００４１】
<実施形態６の処理の流れ>図２４は、本実施形態での処理の流れの一例を示したものであり、以下に示すステップよりなる。最初に、ハードディスクドライブ情報記憶部に情報を記憶する（ハードディスクドライブ情報記憶ステップ  Ｓ２４１０）。次に、充電作業が行われているかどうかの判断を行う。ここで充電しているとの判断であれば次のステップに進むが、充電していないとの判断である場合の以後の処理は、特定の処理に限定されない。例えば、転送できない旨の警告表示をしたり、充電が行われていない旨の警告表示をしたりすることが考えられる（充電作業判断ステップ  Ｓ２４２０）。次に、前記充電作業判断ステップ（Ｓ２４２０）において充電作業を行っているとの判断である場合には、充電完了のための充電必要量を計算する（充電必要量計算ステップ  Ｓ２４３０）。次に、前記充電必要量計算ステップ（Ｓ２４３０）において計算された充電必要量に基づいて決定された量規定情報または転送計画情報を含む充電必要量対応ドライブ情報取得命令を、外部転送部に対して送信する（充電必要量対応ドライブ情報取得命令送信ステップ  Ｓ２４４０）。次に、前記充電必要量対応ドライブ情報取得命令送信ステップ（Ｓ２４４０）において送信された充電必要量対応ドライブ情報取得命令に基づいて、前記ハードディスクドライブ情報記憶ステップ（Ｓ２４１０）においてハードディスクドライブ情報記憶部に記憶された情報を取得する（ドライブ情報取得ステップ  Ｓ２４５０）。次に、前記ドライブ情報取得ステップ（Ｓ２４５０）において取得された情報を外部記録メディアへ転送する（情報転送ステップ  Ｓ２４６０）。最後に、前記情報転送ステップ（Ｓ２４６０）における転送状況を表示部において表示する（転送状況表示ステップ  Ｓ２４７０）。
【００４２】
<実施形態６の効果>本実施形態における情報転送機能付ビデオカメラ装置は、ビデオカメラ自身が内部にバッテリーを充電する機能と情報を外部に転送する機能を有するが、その機能は実施形態１から５と同様の機能を持つため、その効果も実施形態１から実施形態５と同様の効果を持つ。
【図面の簡単な説明】
【００４３】
【図１】実施形態１を説明するための概念図
【図２】実施形態１を説明するための機能ブロック図
【図３】実施形態１の具体例
【図４】実施形態１の処理の流れを説明する図
【図５】実施形態２を説明するための機能ブロック図
【図６】実施形態２を説明するための具体的機能ブロック図
【図７】実施形態２の処理の流れを説明する図
【図８】実施形態３を説明するための機能ブロック図
【図９】実施形態３を説明するための具体的機能ブロック図
【図１０】実施形態３の処理の流れを説明する図
【図１１】実施形態４を説明するための機能ブロック図
【図１２】実施形態４を説明するための具体的機能ブロック図
【図１３】実施形態４の処理の流れを説明する図
【図１４】実施形態５を説明するための機能ブロック図
【図１５】実施形態５の具体例
【図１６】実施形態５の処理の流れを説明する図
【図１７】実施形態６を説明するための概念図
【図１８】実施形態６を説明するための機能ブロック図
【図１９】実施形態６を説明するための機能ブロック図
【図２０】実施形態６を説明するための機能ブロック図
【図２１】実施形態６を説明するための機能ブロック図
【図２２】実施形態６を説明するための機能ブロック図
【図２３】実施形態６を説明するための具体的機能ブロック図
【図２４】実施形態６の処理の流れを説明する図
【符号の説明】
【００４４】
０１１０    ビデオカメラ
０１２０    ビデオカメラ充電装置
０１３０    データ転送用ケーブル
０１４０    外部記録メディア
【図１】
2005354133.tif 000003
【図２】
2005354133.tif 000004
【図３】
2005354133.tif 000005
【図４】
2005354133.tif 000006
【図５】
2005354133.tif 000007
【図６】
2005354133.tif 000008
【図７】
2005354133.tif 000009
【図８】
2005354133.tif 000010
【図９】
2005354133.tif 000011
【図１０】
2005354133.tif 000012
【図１１】
2005354133.tif 000013
【図１２】
2005354133.tif 000014
【図１３】
2005354133.tif 000015
【図１４】
2005354133.tif 000016
【図１５】
2005354133.tif 000017
【図１６】
2005354133.tif 000018
【図１７】
2005354133.tif 000019
【図１８】
2005354133.tif 000020
【図１９】
2005354133.tif 000021
【図２０】
2005354133.tif 000022
【図２１】
2005354133.tif 000023
【図２２】
2005354133.tif 000024
【図２３】
2005354133.tif 000025
【図２４】
2005354133.tif 000026